(57)【要約】【課題】  塵芥収集車において、開閉が簡略化された汚水蓋開閉装置における排出口を塞ぐ汚水蓋の密閉性を確保する【解決手段】汚水ハッチ１は、ロック用締結フック１０をリンク部材９によって連結された開閉レバーを持ち、開閉レバーの操作のみで汚水ハッチの開閉及びロックを可能とし、かつ該締結フックが掛止される掛止部材１１を略Ｕ字状とすることで、ロック時の締結フックの位置決めを安定化させ、閉塞時の汚水ハッチの密閉性を確保する。【選択図】  図２
0003150319.tif 000002
【実用新案登録請求の範囲】
【請求項１】
収集される塵芥による汚水を貯留可能な汚水タンクと、
該汚水タンクの排出口を具備する塵芥収集車において、
前記汚水タンクに形成された排出口を自在に開閉する汚水ハッチを設け、
該汚水ハッチは、
前記排出口を閉塞する汚水蓋と、
該汚水蓋を保持し汚水タンクに回動自在に枢支された汚水蓋支持部材と、
該汚水蓋支持部材に回動自在に枢支された開閉レバーと、
該開閉レバーに挿設された摺動部材と、
該摺動部材を押圧付勢するために前記開閉レバーに介装されたスプリングと、
該摺動部材に回動自在に枢支されたリンク部材と、
該リンク部材及び前記汚水蓋支持部材にそれぞれ回動自在に枢支された締結フックとからなり、
さらに該汚水ハッチの締結フックを掛止する略U字状ないし略V字状の掛止部材を汚水タンクに設けたこと
を特徴とする汚水タンクの汚水蓋開閉装置。
【考案の詳細な説明】
【技術分野】
【０００１】
本考案は、塵芥収集車において、塵芥から出る汚水を貯留する汚水タンクの汚水蓋開閉装置に関する。
【背景技術】
【０００２】
従来の塵芥収集車における汚水タンクの汚水蓋開閉装置に関する技術として、特公昭６０−１０９６１号の公報所載の、汚水タンクの排出口を開閉する汚水ハッチを、排出口前方部にヒンジを設けることによって開閉自在に枢支し、該汚水ハッチの後端部に係止杆を突設し、一方で汚水タンクの排出口後方部に前記係止杆を掛止するための略コの字状のフックを有するロック装置が公知である（従来例1）。
【０００３】
かかる従来例１は、汚水の排水時や汚水タンク内の清掃時の際の汚水ハッチの開閉を簡単容易にし、かつ排出口を確実に密閉し汚水が漏洩することがないようにすることを目的とするものである。
【０００４】
しかし、かかる従来例１は汚水を処理場のピット内に排水するときには、作業者がピット上方に身を乗り出して汚水ハッチの開閉作業を行う必要があり、誤ってピット内に作業者が転落するおそれがあった。
【０００５】
かかる問題を解決すべく、実開平５−３０００６号の公報所載の公知技術がある（従来例２）。従来例１では汚水ハッチのロックの解除レバーは汚水タンク後方に設置されていたが、かかる従来例２では、ロックレバーを汚水ハッチに設置するとともに、該ロックレバーの把持部を回転軸より前方向に配置されることを特徴としている。これにより、汚水タンクの排水時において作業者がピット上に大きく身を乗り出すことなく汚水ハッチの開閉作業が可能となった。
【０００６】
なお上記従来例1、従来例2は共に、汚水ハッチを閉塞する際には、まず汚水ハッチを回動させ排出口に汚水蓋を密着させ、次にロック装置のフックを係止杆に掛止し、最後にロックレバーを汚水タンク側に押して閉塞が完了していた。また汚水ハッチを開放させるにあたっては、まずロックレバーを作業者手前側に引いて、次にロック装置のフックを係止杆から外し、最後に汚水ハッチを開放方向に回動させることで完了していた。
【０００７】
一方、塵芥収集車における汚水タンクの汚水蓋開閉装置に関して、特開平１０−２９１６０４号公報所載の公知技術もある（従来例３）。かかる従来例３は、汚水タンクに汚水ハッチを取り付けるに際して前後２本のピンを使用し、一方のピンを汚水ハッチの回動の軸体とし、他方を該汚水ハッチをロックする際の掛止部材とすることで、汚水ハッチの操作方向を容易に設計変更でき、かつ該汚水ハッチの使用部品の汎用性を極力保つことを可能とするものである。
【０００８】
かかる従来例３には、さらに上記技術使用時に汚水ハッチの締結フック、開閉レバー、リンク部材を回動自在に枢支連結したことを特徴とする公知技術もある。この技術によれば、上記従来例1、従来例2より簡易に汚水ハッチの開閉操作を行うことができる。汚水ハッチを閉塞する際には、まず汚水ハッチを回動させ排出口に汚水蓋を密着させ、次にロックレバーを汚水タンク側に押すことで閉塞が完了する。また汚水ハッチを開放させるにあたっては、まずロックレバーを作業者手前側に引いて、次に汚水ハッチを開放方向に回動させることで完了する。すなわち、開閉作業において、ロック装置のフックの掛け外しの作業をひと手間省略することが可能となっている。
【先行技術文献】
【特許文献】
【０００９】
【特許文献１】特公昭６０−１０９６１号公報
【特許文献２】実開平５−３０００６号公報
【特許文献３】特開平１０−２９１６０４号公報
【考案の概要】
【考案が解決しようとする課題】
【００１０】
上述の通り、従来例１，２によっては汚水蓋開閉装置の開閉作業において、フックを係止杆に掛止してから、開閉レバーを操作する必要があった。
【００１１】
また従来例３によって使用部品の汎用性の確保をしつつ、汚水蓋開閉装置の取付け方向の自由度を増し、また開閉レバーの操作のみで開閉作業を行うことが可能となったが、従来例３はロック装置の掛止部材が直線状のピンであることから、汚水ハッチ閉塞時において締結フックが該掛止部材上を鉛直方向にスライドし、汚水ハッチの密閉性が損なわれるおそれがある。
【００１２】
そこで、本考案は、上記問題に鑑み、汚水ハッチの密閉性を損なうことなく、開閉レバーの操作のみで簡便に汚水ハッチの開閉することが可能な、塵芥収集車における汚水タンクの汚水蓋開閉装置を供することを目的とする。
【課題を解決するための手段】
【００１３】
上記課題に鑑み、本願考案は請求項１に記載の通りの考案である。すなわち本考案は、収集される塵芥から生ずる汚水を貯留可能な汚水タンクと、該汚水タンクの排出口を開閉すべく該汚水タンクに回動自在に取付けられた汚水ハッチとを具備する塵芥収集車において、前記汚水タンクに形成された排出口を自在に開閉する汚水ハッチを設け、該汚水ハッチは、前記排出口を閉塞する汚水蓋と、該汚水蓋を保持し汚水タンクに回動自在に枢支された汚水蓋支持部材と、該汚水蓋支持部材に回動自在に枢支された開閉レバーと、該開閉レバーに挿設された摺動部材と、該摺動部材を押圧付勢するために前記開閉レバーに介装されたスプリングと、該摺動部材に回動自在に枢支されたリンク部材と、該リンク部材及び前記汚水蓋支持部材にそれぞれ回動自在に枢支された締結フックとからなり、さらに該汚水ハッチの締結フックを掛止する略U字状ないし略V字状の掛止部材を汚水タンクに設けたことを特徴とする汚水タンクの汚水蓋開閉装置である。
【考案の効果】
【００１４】
上記の如く汚水蓋支持部材、開閉レバー、摺動部材、リンク部材、締結フックと、それぞれの回動部及び摺動部の配置する構造により、開閉レバーの操作により締結フックの開閉状態が連動するため、開閉レバーの操作のみで汚水ハッチの極めて簡便な開閉操作を行うことを可能としつつ、また締結フックを掛止する掛止部材を略U字状ないし略Ｖ字状とすることで、ロック状態における締結フックの位置が安定し、ひいては閉塞状態における汚水ハッチの密閉状態を保つことが可能となる。
【図面の簡単な説明】
【００１５】
【図１】本考案の実施形態の塵芥収集車の要部拡大側面図である。
【図２】（a）は同実施形態の汚水蓋開閉装置の閉塞状態の平面図であり、（b）は同汚水蓋開閉装置の開放状態の平面図である。
【図３】（a）は同汚水蓋開閉装置の閉塞状態の右側面図であり、（b）は同汚水蓋開閉装置の開放状態の右側面図である。
【図４】（a）は同汚水蓋開閉装置の閉塞状態の背面図であり、（b）は同汚水蓋開閉装置の開放状態の背面図である。
【図５】（a）は同汚水蓋開閉装置の閉塞状態の正面図であり、（b）は同汚水蓋開閉装置の開放状態の正面図である。
【図６】（a）は同汚水蓋開閉装置の閉塞状態の左側面図であり、（b）は同汚水蓋開閉装置の開放状態の左側面図である。
【図７】本考案の実施形態において、掛止部材を略V字状とした同汚水蓋開閉装置の閉塞状態の背面図である。
【考案を実施するための形態】
【００１６】
以下に、本考案の実施の形態について、図面を参照しつつ説明する。
【実施例】
【００１７】
１は、塵芥収容箱Ｂ（図示省略）の底部に設けられた汚水タンク１（図１参照）で、塵芥積載時に塵芥から出る汚水を貯留するように構成されている。
【００１８】
汚水タンク１の側部には、汚水タンク１に貯留された汚水を排出する排出口２が形成されており、この排出口２は、汚水蓋４を備える汚水ハッチ３により閉塞される。
【００１９】
汚水ハッチ３は汚水蓋４と汚水蓋支持部材５とロック機構Ｒを形成する開閉レバー６、摺動部材７、スプリング８、リンク部材９により構成される。
【００２０】
汚水蓋４はブラケット１９を介して汚水蓋支持部材５にヒンジ１７により遊動できるように支持されている。
【００２１】
ロック機構Ｒは、汚水ハッチ３に含まれる開閉レバー６、摺動部材７、スプリング８、リンク部材９、締結フック１０、及び汚水タンク１に突設される掛止部材１１から構成される。
【００２２】
以下、図２〜図６における（ａ）に図示する汚水ハッチ３の閉塞状態について説明する。
【００２３】
汚水ハッチ３は汚水タンク１における排出口２の側方に固着されたブラケット１８を介して、ヒンジ１６により回動可能に枢支されており、閉塞時には汚水ハッチ３に設けられたロック機構Ｒの締結フック１０を、汚水タンク１における排出口２を挟んでヒンジ１６の反対側に突設される掛止部材１１に掛止することで、汚水タンク１の側面に圧着され、汚水タンク１に開口される排出口２を密閉している。
【００２４】
汚水ハッチ３の閉塞時においてスプリング８は圧縮されていることにより、その復元力が摺動部材７及びリンク部材９を介して締結フック１０におけるヒンジ１５を軸とする時計まわり（図２ａ）の回転力として伝わり、締結フック１０を掛止部材１１に押圧するとともに、ロック機構Ｒをロック状態と成している。
【００２５】
掛止部材１１を略Ｕ字形状とすることで、スプリング８により時計まわり（図２ａ）の回転力を与えられた締結フック１０は掛止部材１１のＵ字形状の中央部に案内され（図４ａ参照）、締結フック１０の位置決めが安定している。
【００２６】
以下、図２〜図６における（ｂ）に図示する汚水ハッチ３の開放状態ついて説明する。
【００２７】
汚水ハッチ３は汚水タンク１における排出口２の側方に固着されたブラケット１８を介して、ヒンジ１６により回動可能に枢支されており、このヒンジ１６を軸として開放状態に回動されている。
【００２８】
開閉レバー６が引き上げられ（図２ｂ参照）、ロック機構Ｒは解除状態にある。開閉レバーのヒンジ１３を回転軸とした開放方向への動きはリンク部材９によって締結フック１０を連動させ、ヒンジ１５を回転軸として反時計まわりに回転させている。結果、締結フック１０と掛止部材１１の掛止が外れ、ロックが解除されている。
【００２９】
閉塞時においてスプリング８の押圧付勢が、締結フック１０と掛止部材１１の掛止部に回転力として圧着方向に伝わるため、排出口２を密閉する汚水蓋４の圧着力となるとともに、略U字状ないし略V字状の掛止部材１１に対する締結フック１０の位置決めを安定化する力となり、結果、排出口２を閉塞する汚水ハッチ３の密閉性を確保することができる。
【００３０】
本考案は、ヒンジ１２、ヒンジ１３、ヒンジ１４の回転半径の差異によって、開閉レバー６の動作に伴い、締結フック１０も回動する構造だが、スプリング８の押圧はまた、この回動に対しても力を及ぼしている。すなわち、このスプリング８により、ロック状態を解除するための開閉レバー６に対するＰの方向（図２ａ）の外力に対しては、抵抗を与える方向に力が働いているため、偶発的なロック解除を防ぐことができる。
【００３１】
本考案の実施の形態は、上記の実施形態に何ら限定するものではなく、本考案の技術的思想を逸脱しない範囲において、改変等を加えることができ、それらの改変、均等物等も本考案の技術的範囲に含まれ、該技術的範囲に属する限り種々の形態を採り得る。例えば、塵芥収集車において汚水蓋開閉装置を設置する位置、方向などは上記実施例に限定されず、様々な位置、方向を採ることができる。また、掛止部材１１の略U字形状を略Ｖ字状に変更しても同じく本考案の目的は達成される（図７）。
【００３２】
また上記実施例では、ロック機構の押圧付勢するスプリングにはコイルスプリングを用いているが、弾性体としてこれに限定されず、空気ばね、ゴム等も利用できる。
【００３３】
さらに上記実施例では、ヒンジ部１４をＵ字形状としたリンク部材自体を回転軸としているが、回動自在の構造をとるための形態はこれに限定されない。その他の各ヒンジ部についても同様である。
【符号の説明】
【００３４】
１…汚水タンク  ２…排出口  ３…汚水ハッチ
４…汚水蓋  ５…汚水蓋支持部材  ６…開閉レバー  ７…摺動部材
８…スプリング  ９…リンク部材  １０…締結フック  １１…掛止部材
【図１】
0003150319.tif 000003
【図２】
0003150319.tif 000004
【図３】
0003150319.tif 000005
【図４】
0003150319.tif 000006
【図５】
0003150319.tif 000007
【図６】
0003150319.tif 000008
【図７】
0003150319.tif 000009